【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
ホストに作動的に接続された複数の静止アクセスポイントと、複数の移動ユニットとを備えるデータ通信ネットワークにおいて、
(a) 個々の前記移動ユニットは、周波数ホッピングスペクトル拡散無線周波数通信を使用し、且つ検索パケットを送信する１つの前記移動ユニットから所定の範囲にある全てのアクセスポイントに検索パケットを送信するための送信機を有し、
(b) 前記範囲内の前記アクセスポイントは、送信される前記検索パケットを検知し、これに応答して前記１つの移動ユニットへ検索応答パケットを送信するためのそれぞれの受信機を含み、
(c) 前記検索応答パケットから最適の１つのアクセスポイントを選択し、且つ所定の間隔で前記１つの移動ユニットを前記最適の１つのアクセスポイントと交信するため、個々の前記移動ユニット内のセレクターを備え、前記最適の１つのアクセスポイントは、前記１つの移動ユニットで受信した信号の質、及び個々の前記静止アクセスポイントのローディングファクターにより選択される、
ことを特徴とするネットワーク。
【請求項２】
請求項１に記載したネットワークであって、前記１つの移動ユニットは、前記複数の静止アクセスポイントの１つのグループを選択し、前記グループから前記最適の１つのアクセスポイントを選択することを特徴とするネットワーク。
【請求項３】
請求項１に記載したネットワークであって、前記受信した信号の質は、受信信号強度示度（ＲＳＳＩ）で表されることを特徴とするネットワーク。
【請求項４】
請求項１に記載したネットワークであって、前記ローディングファクターは、個々の前記静止アクセスポイントに交信する前記移動ユニットの数で定義されることを特徴とするネットワーク。
【請求項５】
請求項１に記載したネットワークであって、前記通信ネットワークはIEEE802.11仕様書案に従った１Mbps周波数ホッピング拡散スペクトル無線ＬＡＮを備えることを特徴とするネットワーク。
【請求項６】
請求項１に記載したネットワークであって、個々の前記探索パケットは、着信先アドレスでなく移動ユニットを特定する発信元アドレスを有することを特徴とするネットワーク。
【請求項７】
請求項６に記載したネットワークであって、個々の前記探索パケットは、それぞれの前記移動ユニットが現在交信している前記静止アクセスポイントの識別信号を含むことを特徴とするネットワーク。
【請求項８】
請求項６に記載したネットワークであって、前記探索応答パケットは、アクセスポイントのアドレスと、周波数ホッピングのパターンと、アクセスポイントの現在のチャンネルと、現在のチャンネルの残り時間と、前記ローディングファクターと、を含むことを特徴とするネットワーク。
【請求項９】
請求項８に記載したネットワークであって、前記１つの移動ユニットは、前記受信した探索応答パケットの前記信号の質と、前記受信した探索応答パケットに含まれる情報に基づいて選択を実行することを特徴とするネットワーク。
【請求項１０】
請求項１に記載したネットワークであって、更に個々の前記移動ユニット内に、対象とする品目上のバーコードシンボルを読取り、且つ前記シンボルに関連するデータを自動的に入力するための読取機を備えることを特徴とするネットワーク。
【請求項１１】
請求項３に記載したネットワークであって、前記１つの移動ユニットは、個々の前記静止アクセスポイントのＲＳＳＩ値を記憶し、所定の期間で平均値を計算することを特徴とするネットワーク。
【請求項１２】
請求項１１に記載したネットワークであって、所定の範囲外のＲＳＳＩ値は前記平均値の計算から除外するようにしたことを特徴とするネットワーク。
【請求項１３】
請求項１に記載したネットワークであって、前記１つの移動ユニットは、電力を入れたときとその後前記所定の間隔で規則的に全ての利用可能な周波数チャンネルの全範囲走査を実行することを特徴とするネットワーク。
【請求項１４】
請求項１３に記載したネットワークであって、前記全範囲走査は、３０秒間隔で実行することを特徴とするネットワーク。
【請求項１５】
請求項１３に記載したネットワークであって、前記１つの移動ユニットは、全ての周波数チャンネルの走査を実行するより短い所定の間隔で前記静止アクセスポイントのグループの走査を実行することを特徴とするネットワーク。
【請求項１６】
請求項１５に記載したネットワークであって、前記１つの移動ユニットは、部分走査を５秒毎に実行することを特徴とするネットワーク。
【請求項１７】
請求項１に記載したネットワークであって、前記１つの移動ユニットは、少なくともしきい値に等しい信号の質を有する全ての前記静止アクセスポイントを識別し、最低のローディングファクターを有する最適の１つのアクセスポイントを交信のため選択し、複数の前記静止アクセスポイントが同じ最低のローディングファクターを有する場合は、最高の受信した信号の質を有する静止アクセスポイントを選択することを特徴とするネットワーク。
【請求項１８】
請求項１７に記載したネットワークであって、前記しきい値は、前記最高の受信した信号の質より小さくセットすることを特徴とするネットワーク。
【請求項１９】
請求項１に記載したネットワークであって、前記１つの静止アクセスポイントと交信し、受け入れがたいほど低い信号の質を経験した前記複数の移動ユニットの１つは、切り換えを行い、選択から前記１つの静止アクセスポイントを排除することを特徴とするネットワーク。
【請求項２０】
請求項１９に記載したネットワークであって、受け入れがたいほど低い信号の質は、５０％を超える再試行、ＣＲＣエラー、又は間違いビーコンがあるとき起こることを特徴とするネットワーク。
【請求項２１】
請求項１９に記載したネットワークであって、前記排除した１つの静止アクセスポイントは、前記受信した信号の質が所定の限度を超えたとき選択範囲に含めることを特徴とするネットワーク。
【請求項２２】
請求項１９に記載したネットワークであって、再交信するのに好適な前記静止アクセスポイントが識別できない場合、前記１つの移動ユニットは現在の１つの前記静止アクセスポイントと交信し続けることを特徴とするネットワーク。
【請求項２３】
請求項３に記載したネットワークであって、現在の１つの前記静止アクセスポイントと交信し満足な通信レベルを達成した個々の前記移動ユニットは、選択した間隔で選択の決定を行うことを特徴とするネットワーク。
【請求項２４】
請求項２３に記載したネットワークであって、満足な通信レベルは、５０％以下の再試行、ＣＲＣエラー、又は間違いビーコンがあるとき起こることを特徴とするネットワーク。
【請求項２５】
請求項２３に記載したネットワークであって、前記静止アクセスポイントの好適なグループは、所定のしきい値を超える信号の質を有する全ての前期静止アクセスポイントから選択し；
前記グループは、別の所定のしきい値を超える信号の質を有する現在の１つの前記静止アクセスポイントを含み；最適のアクセスポイントは、全ての前記静止アクセスポイントから最低のローディングファクターを有するものを選択し；
前記現在の１つの静止アクセスポイントのローディングファクターの所定の割合を超えるローディングファクターを有する静止アクセスポイントは排除し；
複数のアクセスポイントが同じローディングファクターを有するときは、最高の信号の質を有するアクセスポイントを最適のアクセスポイントとして選択することを特徴とするネットワーク。
【請求項２６】
請求項２５に記載したネットワークであって、前記好適なグループの所定のしきい値は、最高の検知したＲＳＳＩ値より小さく、前記現在の１つのアクセスポイントの別の所定のしきい値は、前記最高の検知したＲＳＳＩ値より小さく、前記現在の１つの静止アクセスポイントのローディングファクターの７５％を超えるローディングファクターを有する静止アクセスポイントは排除することを特徴とするネットワーク。
【請求項２７】
請求項２３に記載したネットワークであって、個々の移動ユニットは、前記静止アクセスポイントを所定の間隔で部分走査し、前記部分走査の直後に切り換えを行うことを特徴とするネットワーク。
【請求項２８】
請求項１に記載したネットワークであって、前記通信ネットワークは、在庫品調べ、価格照会、値下げ、携帯販売所、発注、輸送、受領、パッケージの追跡システムのうちの１つに含まれることを特徴とするネットワーク。
【請求項２９】
相互に通信しホストに作動的に接続された複数のアクセスポイントと、複数の移動ユニットとを含むセルラー通信ネットワークの運転方法において、
(a) 検索パケットを送信する１つの前記移動ユニットから所定の範囲にある全てのアクセスポイントに検索パケットを送信し、ここに個々の前記移動ユニットは、周波数ホッピングスペクトル拡散無線周波数通信を使用し、
(b) 送信される検索パケットを検知し、それに応答して前記範囲内の前記アクセスポイントから、前記１つの移動ユニットへ検索応答パケットを送信し、
(c) 前記検索応答パケット間の干渉を最小にし、
(d) 所定の間隔で複数のアクセスポイントを走査し、
(e) 複数のアクセスポイントから好適なアクセスポイントのグループを選択し、前記１つの移動ユニットで受信した信号の質、及びローディングファクターに従って、前記グループから最適の１つのアクセスポイントを選択する、
ことを特徴とする方法。
【請求項３０】
データ通信ネットワークにおいて、
(a) ホストに作動的に接続された複数の静止アクセスポイントと、複数の移動ユニットとを備え、個々の前記移動ユニットは、周波数ホッピングスペクトル拡散無線周波数通信を使用し、１つの前記移動ユニットは、検索パケットを送信する１つの前記移動ユニットから所定の範囲にある全てのアクセスポイントに検索パケットを送信するための送信機を有し、
(b) 前記範囲内の前記アクセスポイントは、送信される検索パケットを検知し、且つ前記１つの移動ユニットへ検索応答パケットを送信するためのそれぞれの受信機を含み、
(c) 前記１つの移動ユニットで受信した信号の質、及び個々の前記アクセスポイントのローディングファクターに基づいて、前記複数のアクセスポイントから最適な１つのアクセスポイントを選択するためのセレクターを備え、
(d) 全移動ユニットが入らなければならない物理的領域を備え、前記物理的領域は出口を有し、前記出口に隣接して１つのアクセスポイントが位置する、
ことを特徴とするネットワーク。
【請求項３１】
請求項３０に記載したネットワークであって、前記出口の前記１つのアクセスポイントは、前記出口の近くにアラーム信号を与える指向性（ホーン）アンテナを含むことを特徴とするネットワーク。